(57)【要約】【解決手段】半透膜９を支持する堅い支持構造物８と、選択的にセル内の電極数とタイプを変えるために各電極７を支持する多数のアタッチメント５０をそれぞれ有する電着塗装と電気透析セル１。【選択図】図１
2005500437.tif 000002
【特許請求の範囲】
【請求項１】
支持構造物（８）；少なくとも１つの電極（７）；及び当該電極から所定の離れた位置で電極を囲み、支持構造物と共にセル内の透析液を循環させるチャネル（６２）を規定する（ｄｅｆｉｎｉｎｇ）半透膜（９）を備え、セルは、セル中の数と種類を選択的の変化させるように選択された数の電極を支持する手段（１０）を備えていることを特徴とする電着塗装と電気透析用セル（１；１ａ；１ｂ）。
【請求項２】
前記支持手段（１０）は、各電極をそれぞれ支持するための支持構造物（８）により支持され、多数のアタッチメント（５０）を有する第一の電極ホルダ部材（５１）を有し、当該アタッチメントはそれぞれ電極（７）を有することを特徴とする請求項１記載のセル。
【請求項３】
前記各アタッチメント（５０）は、それぞれ各アタッチメント（５０）に着脱可能な電極（７）を固定する（ｓｅｃｕｒｉｎｇ）ための各固定具（５９）と組み合わされていることを特徴とする請求項２記載のセル。
【請求項４】
前記各固定具（５９）は、各電極（７）を縦軸に対して対称的に方向付けていることを特徴とする請求項２記載のセル。
【請求項５】
前記各固定具（５９）は、各電極（７）の一端（５８）が挿入可能であるシート（５７）により固定され（ｄｅｆｉｎｅｄ）、前記端部（５８）は、前記シート（５７）の内部で前記電極（７）を軸上に固定する（ｄｅｆｉｎｅｄ）固定部（６０）を有することを特徴とする請求項４記載のセル。
【請求項６】
前記各電極（７）は、固体バーで固定され（ｄｅｆｉｎｅｄ）ていることを特徴とする請求項２から５のいずれかに記載のセル。
【請求項７】
前記各電極（７）は、直線状、円形断面、固体円筒状バーで固定される（ｄｅｆｉｎｅｄ）ことを特徴とする請求項６記載のセル。
【請求項８】
前記各アタッチメント（５０）は、固体バーで固定される（ｄｅｆｉｎｅｄ）それぞれの電極（７）又はそれぞれの管状電極（７ｂ）により受け取られる（ｔｏ ｒｅｃｅｉｖｅ）ように設計されることを特徴とする請求項２から７のいずれかに記載のセル。
【請求項９】
前記第一の電極ホルダー部材は、その上に前記各アタッチメント（５０）がセルの前部（９０）に対して実質的に互いに平行に並んだプレートであり、そして前記電極は（７）はセルの前記前部（９０）に沿って互いに平行に並んでいる、フラットセル（１ｂ）であることを特徴とする請求項２から８のいずれかに記載のセル。
【請求項１０】
前記第一電極ホルダー部材（５１）は、その上に前記各アタッチメント（５０）が実質的にセルの中心軸（Ａ）の周りに配置されたディスク状のプレート（５１ａ）を備え；前記電極（７）が前記軸（Ａ）の周りに互いに平行に配置された、管状セル（１；１ａ）であることを特徴とする請求項２から８のいずれかに記載のセル。
【請求項１１】
前記第一電極ホルダー部材（５１）は、支持構造物（８）と共に一体化（ｂｅ ｉｎｔｅｇｒａｌ ｗｉｔｈ）されたことを特徴とする請求項９又は１０記載のセル。
【請求項１２】
前記第一電極ホルダー部材（５１）は、異なるタイプの第二の電極ホルダー部材（６５）により置き換えられる支持構造（８）に着脱自在に接続可能であることを特徴とする請求項９又は１０記載のセル。
【請求項１３】
支持構造（８）は、前記いずれかの電極ホルダー部材（５１，６５）を受ける接続部（２６）を有し；該接続部（２６）は前記電極ホルダー部材により保持（ｃａｒｒｉｅｄ）される各々の締結部材（５２）の挿入のための接続シート（２８）を有することを特徴とする請求項１２記載のセル。
【請求項１４】
接続部（２６）は、互いに円周上に離れて配置される３つの接続シート（２８）を有する実質的に環状末端部（２７）を備え；前記電極ホルダー部材（５１，６５）から半径方向に突出し、前記接続シート（２８）の内部の軸方向に挿入可能な３つの締結部材（５２）の各セットを有する前記電極ホルダー部材（５１，６５）を備えたことを特徴とする請求項１３記載のセル。
【請求項１５】
第二の電極ホルダー部材（６５）は、管状電極（７ｂ）の前記締結部材（５２）を有する末端部（６６）を備えたことを特徴とする請求項１３又は１４記載のセル。
【発明の詳細な説明】
【０００１】
【発明の属する技術分野】
本発明は電着塗装と電気透析セル、特に、塗料槽に浸して塗装する電着塗装と電気透析セルに関する。
【０００２】
【従来の技術】
よく知られている通り、電着被覆又は塗装方法において、塗装対象物は、その塗装層を電着塗装するのに必要な電界を槽に発生させ、かつ、その化学的な特性を一定に保つために槽から確実にイオンを除去するという２つの機能を果たす電着塗装と電気透析セルを内部に有するタンク中の塗料槽に浸される。
【０００３】
そのため、電着塗装と電気透析セルは一般的に支持構造物、金属電極、及び半透膜を備え、それらはセル中の透析液（電解質）を循環させるチャネルを定める。そして、膜は使用中、タンク内の塗装槽をセル中を循環する電解質から離すため電極から所定の距離にある支持構造物に取り付けられる。
【０００４】
【発明が解決しようとする課題】
通常、各セルは中空管状体（典型的な、いわゆる「チューブセル」）又はプレート（いわゆる「フラットセル」溶液が好ましい）により定まる一つの電極を備える。
【０００５】
発生電界の面から特定の性能を目的としてそれぞれ設計されるので、どちらの場合もそのようなセルは汎用性に乏しいという欠点がある。従って、電着塗装槽（強度、形態（ｆｏｒｍ）、分布など）で発生した電界の特性が変化すると、必要な特性が得られるように設計された別のものにセルを取り替えるか、又はセルの数を変えて使用しなければならない。
【０００６】
本発明の目的は、従来技術の前述の欠点を除去するように設計された電着塗装と電気透析セルを提供することである。
【０００７】
【課題を解決するための手段】
本発明によれば、支持構造物、少なくとも１つの電極、及び当該電極から所定の離れた位置で電極を囲み、支持構造物と共にセル内の透析液を循環させるチャネルを規定する（ｄｅｆｉｎｉｎｇ）半透膜を備え、セルは、セル中の電極数と種類を選択的に変化させるように選択された数の電極を支持する手段を備えている電着塗装と電気透析用セルが提供される。
【０００８】
従って、多数の電極を収納するよう設計されることにより、本発明によるセルは特定用途と性能に必要な電極数を用いて取り付け、据え付けられる。
【０００９】
また、セルの中に据え付ける電極数を選択すること以外に、同一のセルが得られる電界を変化させるために異なるサイズ及び／又は種類の電極に取り付けられる。
【００１０】
好ましい実施例では、支持手段は各電極をそれぞれ支持するための支持構造物により支持され、多数のアタッチメントを有する第一の電極ホルダ部材を有し、当該アタッチメントは各アタッチメントに着脱可能な電極を固定するための各固定具と組み合わされている。そのため、本発明によるセルは、素速く容易に摩耗又は劣化した電極をそれぞれ取り替え、また、他のものがどうであっても各電極を取り替えるのに使用される。
【００１１】
また、固定具は縦軸に対して対称的に各電極を方向付けるのは望ましい。すなわち、同じ使用状態が得られるように縦軸の周りを対称的に回転でき、その結果、電極の可使寿命を長くする。既知の通り、電着塗装槽で発生した電界により電極の外側表面が使用中、徐々に、しかし、不規則に摩耗し、選択された領域でより大きな摩耗を被るということは特に重要である（すなわち、最大の摩耗が最大の電界強度で通常被覆物に面している電極側に起こる）。
【００１２】
管状又はプレート状の電極（ともに比較的薄い）が被ることのある貫通孔ができるのを保護するための堅い棒（ｓｏｌｉｄ ｂａｒｓ）、望ましくはまっすぐで円形断面の円筒状の棒が用いられる（ｂｅｉｎｇ ｄｅｆｉｎｅｄ）電極には、本発明の別の重要な観点がある。さらに、堅い棒状の各電極は従来の管状又はプレート状の電極よりも非常に軽いので（実際、管状又はプレート状電極のものに匹敵する性能は堅い棒状電極を多数使用することで達成される）、個々の電極は容易に点検でき、取り替えられる。
【００１３】
本発明はチューブ及びフラットセルの両方を形成するのに使用される。ここで、「チューブセル」は膜が管状の構成、すなわち、周囲が閉じているセルを指し、「フラットセル」は膜が開いている構成で、平らな状態又は曲がった状態、例えば放物線の場合もあり得るセルの前部に沿って位置するセルを指すこととする。
【００１４】
【発明の実施の形態】
本発明の非限定的な実施例を付随の図面を参照して以下詳述する。
図１〜図４の符号１は自由表面４により定められた所定のレベルまで上がった塗料槽３を備えるタンク２に設置された電着塗装と電気透析セルを全体的に示したものである。セル１はタンク２の縁５に公知の方法で固定され、タンク２の側壁６に近接する。
【００１５】
セル１は管状で、中心軸Ａを有し、また、断面が円形の堅い円筒状のバー（ｂａｒｓ）により固定され（ｄｅｆｉｎｅｄ）、軸Ａの周りに配置された多数の電極７、支持構造物８、及び支持構造物８を囲む半透膜９を備えている。符号１０で全体的に示される支持手段は、後述する通り、選択的にセル中の電極の数を変えるために選択された数の電極７を支持するのに用いられる。
【００１６】
支持構造物８はヘッド１１、ボトムキャップ１２、及び剛体１３を備える剛体構造物である。
【００１７】
例えば、堅い（ｒｉｇｉｄ）重合体材で作られた剛体１３にはトップとボトムに開口した軸端１４，１５がそれぞれ相対して存在する。ヘッド１１は軸端１４で剛体１３の端部により定められ、キャップ１２は剛体１３の軸端１５に溶接される（または、どのような方法でもよいが、液密方法（ｆｌｕｉｄｔｉｇｈｔ ｍａｎｎｅｒ）で固定される）。
【００１８】
剛体１３は筒状の側壁１６を備え、そこで、格子となる多数の広い放射状（ｒａｄｉａｌ）の窓１７が形成される。本出願人による共に出願した特許出願の対象である解決手段では、側壁１６の放射状の外側表面２０は無端状の通路（ｅｎｄｌｅｓｓ ｐａｔｈ）に沿って伸び、かつ、２つの平行な円周部２２を備えた連続する溝２１と、円周部２２に接続し、かつ、垂直の実質的に平行でまっすぐな２つの軸部２３を備えている。
【００１９】
溝２１は、例えば変形可能な弾性材でできた無端状のシール２４を収納し、それは使用中、即ち、溝２１の中に収納された状態で、溝２１の円周部２２に収納された２つの小穴と、溝２１の軸部２３に収納された２つの垂直部を備えている。
【００２０】
軸端１４では、剛体１３は、例えば各スロットによって定められる円周方向に間隔をあけて配置された３つの接続シート２８を有する環状端２７で区切る円筒型接続部２６を備えている。図示したものに限定されないが、２つの直径方向に相対する接続シート２８が最初の２つのシートから等距離の所に第３のシートを設置した状態で用いてもよい。図示しないが可能な変形例として、３つの接続シート２８を１２０°間隔、または４つの接続シート２８を９０°間隔で設置してもよい。しかしながら、シート２８の数と配置の両方が、ここに例示したものと全く異なってもよい。
【００２１】
ヘッド１１は排出部材３５に接続される通し穴３４を放射状に備える。
【００２２】
それ自体公知の膜９は、ほぼ長方形のシートによって規定され、連続する管状構造となるように側部表面２０の周りに巻かれており、膜９の２つの端部３６は重なって溝２１の軸部２３を被い、相対する膜９の各軸端は溝２１の円周部２２を超えて伸びる。
【００２３】
ねじ４５で固く締められた半状リング４４の各組により定められる２つの固定リング４３は溝２１の円周部２２上に接合し、使用中にシール２４の重ね合わされた側部表面２０に対して膜９の軸端を締める。固定バー４７は固定リング４３と溝２１の軸部２３の方向と膜９の重なり部３６の間を縦方向に伸び、使用時に、多数のねじ４８を軸方向に間隔をあけて、膜９の部分３６を通して挿入し、支持構造物８の中に収納された噛み合わせ部材４９に形成された各シートに嵌め込み、シール２４の重ね合わさった側部表面２０に対して膜９の重なり部３６を締める。
【００２４】
支持手段１０は、電極ホルダ部材５１により支えられ、所定の各位置、特に実質的に軸Ａの周りで各電極７を支えるための多数のアタッチメント５０を備えている。
【００２５】
電極ホルダ部材５１は、接続シート２８内の固定部材５２をそれぞれ挿入することにより支持構造物８の接続部２６に着脱可能に取り付けられたディスク形のプレート５１ｂを備えている。固定部材５２はプレート５１ｂの側縁５３から放射状に突出し、図示した実施例では、側縁５３に形成された対応するナットねじシートの中にねじ込められた各ネジロッド（ｔｈｒｅａｄｅｄ ｒｏｄｓ）によって固定され（ｂｅ ｄｅｆｉｎｅｄ）、接続用シート２８内から支持プレート５１ｂへ軸方向に挿入するのに対応可能な位置にある。
【００２６】
プレート５１ｂには、例えばポリ塩化ビニル又は他の適当な高分子材製の、中心孔５４の周端部と協働して放射状の外側カラー５６によりプレート５１ｂ上で支持された管５５を収納する中心孔５４がある。
【００２７】
プレート５１ｂが接続部２６に取り付けられると、プレート５１ｂと管５５は軸Ａに沿った剛体１３と同軸となる。
【００２８】
アタッチメント５０はプレート５１ｂを通して形成され、中心孔５４に平行な各シート５７によって定められ、それを通して電極７の各軸端５８に挿入される。シート５７は実質的に中心孔５４の周り（そして、そのために軸Ａの周り）に配置され、図１〜図４に図示した実施例に限定されずに、プレート５１ｂのシート５７の数と配置がともにここで示した実施例とは異なっても、３つのシート５７を円弧状に９０°間隔で配置してもよい。
【００２９】
各アタッチメント５０にはアタッチメント５０に着脱自在に電極７を固定し、縦軸に対して対称的に電極７を方向ずけるための固定具５９がある。より明確に言えば、電極７の端部５８には、各シート５７内で電極７を軸上に固定するために、各シート５７の周端部上にはそれぞれ放射状に外側固定部６０がある。
【００３０】
図示した非限定的な実施例では、外側固定部６０は電極７の端部５８にあるネジ山のある各ねじロッド（ｒｅｓｐｅｃｔｉｖｅ ｔｈｒｅａｄｅｄ ｒｏｄｓ）と噛み合い、いったん電極７が設置されるとプレート５１ｂの頂点の面でとどまるナットにより固定される。
【００３１】
電極７の１つには既知の電気コネクタ６１があり、電流がプレート５１ｂ（導電性材製の場合）又は別の接続部材（図示せず）により他の電極に流れる。
【００３２】
管５５と電極７は共に下向きにキャップ１２から所定の距離に突出し、底の開いた管５５はセル１内に透析液を循環させるチャネル６２の送給部を定め、透析液流が管５５の底にたどりつくと、管５５と膜９により定められた環状の隙間の中に逆流し、排出部材３５を通って排出される。
【００３３】
特定用途の必要に応じて選択的にセル１内の電極７の数とタイプを変えることができる。実際、特定の性能に必要な電極７だけを各シート５７内に挿入し、電気コネクタ６１に接続し、セル１に設置する。管状電極を堅い棒状電極７の代わりに使用してもよい。
【００３４】
図５は、堅い棒状電極７を多く有するのとは対照的に、この場合は剛体１３内に軸Ａに沿って伸長し、共軸的に収容されたまっすぐな中空円筒体に固定された（ｄｅｆｉｎｅｄ）単一の管状電極７ｂを収容するセル１の形態を示す。電極ホルダ部材５１は、電極７ｂの端部６６を備え、例えば電極７ｂの側壁上にねじ込められ、剛体１３内の電極７ｂを支持する接続シート２８内で軸方向に挿入するのに対応可能な位置にある各ボトルにより固定される放射状の３つの外側固定部材５２を有する異なる電極ホルダ部材６５に置き換えられている。また、端部６６は電気コネクタ６１を支持する。
【００３５】
支持構造物８の接続部２６は一般に、電極ホルダ部材５１，６５又は他のタイプの電極ホルダ部材を代替的に収容できるので、単一の管状電極７ｂ又は軸Ａの周りに配置されプレート５１ｂにより支持された多数の固い棒状電極７とセル１を代替的に取り付けてもよい。
【００３６】
また、図５は排出部材３５の変形例を示す。
【００３７】
ここで、既述のものと同様又は同一のものは同じ参照番号を使用して説明するが、図６と図７は本発明によるセルの変形例１ａを示し、それは異なる剛体１３を備えている。この場合、例えば、堅い重合体材製の押出面により定まる剛体１３は垂直軸（軸Ａと一致）を有し、管５５に平行な固い縦リブ３１と管５５に平行な多数の縦アーム３２を全体的に支持する断面弧状の中央管５５を備えている。リブ３１とアーム３２は管５５の所定部分に沿って縦に伸長し、アーム３２は管５５の周りに放射状に一定の間隔を空けて配置され、各電極７の多数のシートを定めるため管５５から放射状に突出している。
【００３８】
また、剛体１３は、軸方向に間隔を空けて配置され、アーム３２の周りに半径方向に外側に取り付け、リブ３１で互いに接続させた２つのカラー３３ａ，３３ｂを備えている。トップカラー３３ａは管５５と同軸でヘッド１１を定める管状筒部に接続し、キャップ１２はボトムカラー３３ｂに液密方法（ｆｌｕｉｄｔｉｇｈｔ ｍａｎｎｅｒ）で取り付けられる。
【００３９】
膜９は既述のものと同一の固定システムによって剛体１３に取り付けられる。すなわち、シール２４を収容し、２つの周辺部分（カラー３３ａ，３３ｂの側部表面にそれぞれ形成された）と２つの軸部（周辺部分に接続し管５５とは反対側のリブ３１の外側表面に放射状に形成された）を包含する連続した溝２１が備えられる。
【００４０】
半透性材製の、ほぼ長方形のシートによって再規定された膜９は、アーム３２の自由端に広がって閉多角形構造の剛体１３に巻き付けられ、カラー３３ａ，３３ｂに取り付けた２つの固定リング４３と固定バー４７によりシール２４の挿入物を用いて剛体１３に固定される。
【００４１】
セル１ａは剛体１３と無端状の電極ホルダ部材全体を備え、それはヘッド１１の穴の空いた頂端を閉じ、管５５と中心を通して取り付けた横断面ディスク型である。この場合も、特にセル１ａの中心軸Ａの周りの各所定位置で、各々まっすぐで円形断面の堅い円筒状のバーにより定められる、各電極軸７を支持する多数のアタッチメント５０を備えている。
【００４２】
この場合も、アタッチメント５０は軸Ａの周りで平行な電極ホルダ部材５１を通して固定され、電極７の各軸端５８が挿入される各シート５７により定められる。
【００４３】
各アタッチメントに対する電極７を固定する固定具５９は既述のものと同一であり、電極７の端部５８は電極７が設置されたとき、電極ホルダ部材５１の頂部面と各シート５７の末端上にある半径方向の各固定部６０（例えば、ねじ山のある各ねじロッドにねじ込んだ（ｓｃｒｅｗｅｄ）ナットにより固定された）を有する。
【００４４】
電極７を設置するために、電気コネクタ６１付きの環状接続プレート６７は電極７を接続する電極ホルダ部材５１上に設けられ、例えば、電極７を挿入するための穴を通して順番に設けられ、電極７に結合する。
【００４５】
図８の変形例は図６、図７とアタッチメント５０の構造だけが異なる。すなわち、管５５の先端は、例えばねじ７０を使用して、Ｌ字形の各ブラケット７１に取り付け、そこから各電極７が吊るされる多数の側面６９を有する、例えば多角形で半径方向に伸びる外側ディスク６８を全体的に支持する。例えば、電極７はブラケット７１のフリーアーム７４にある各シートを通して挿入され、各ナット７５と噛み合う各末端にねじ山のあるロッド７２を有する。
【００４６】
また、ディスク６８は電極７を供給するために設置されるが、その目的のために電気コネクタに取り付けられる（図示しないが、既に詳述し、図示したものと同一である）。
【００４７】
図９と図１０は、既述のものと同様又は同一のものは同じ参照番号を使用して示してあるが、本発明による電着塗装と電気透析セルについて他の形態の実施例を２つ示したものである。すなわち、セル１ｂはセル１ｂの前部９０に沿ってほぼ平らな状態で設置された半透膜９を有するフラットセルである。本明細書においては、既述したように、「フラットセル」という用語は、膜が平らな状態、又は曲がった状態、例えば放物線の場合もあり得るセルが開き、セルの前部に沿っている、いかなるセルをも含む。
【００４８】
また、セル１ｂは膜９に取り付けられ、セル１ｂ内の透析液を循環させるチャンネルを膜９と共に固定する（ｄｅｆｉｎｉｎｇ）堅い支持構造物８を包含する。実施例では、支持構造物８は内室９１を有する実質的に角柱の剛体１３を備えている。剛体１３は、セル１ｂの前部９０を定める（ｄｅｆｉｎｉｎｇ）前壁９２、後壁９３、及び、例えば、ボルト９６、底壁９７と、底壁９７に平行で、図９は平面図であるため簡略化して図示しないカバーを使用して互いに組み立てられた２つの側壁９４を備えている。
【００４９】
窓９８は前壁９２全体に形成され、膜９は前壁９２に平行に配置され窓９８を覆い、例えば、ワイヤ９９によって支持される剛体１３に公知の方法で設置され、シール１００は膜９の末端に沿って伸び、前壁９２は膜９の外側に安全格子１０１を有する。
【００５０】
また、セル１ｂは所定の室９１内部に選択された数の電極７を収容するように設計されている。従って、セル１，１ａと同様に、支持構造物８は、例えばセル１ｂのカバープレートにより定められ、各電極７のアタッチメント、即ちそのアタッチメントに着脱可能に電極を固定する固定具を有する各アタッチメントを多数有する電極ホルダ部材に取り付けられる。
【００５１】
この場合、電極７のアタッチメントはセル前部９０に対して（例えば膜９に対して）平行に並べられ、セル１ｂ内に装着する選択電極７は使用中、セル１ｂの前部９０に沿って平行に、ほぼ互いに同一平面上に並んで配置される。アタッチメントは他の実施例により、ここで図示したものとは別の方法で、例えばアークに据え付けてもよいので、各電極７は使用中に曲面に沿って据え付けられる。
【００５２】
図９の変形例では、セル１ｂはまっすぐで、円形断面で、堅い円筒状のバーに定められる各電極７に取り付けられ、図１０の変形例では環状の電極７ｂに取り付けられる。従って、選択数の電極を収容する以外に、セル１ｂは例えば堅いバー又は環状部材により定められる異なるタイプの電極に置き換えて取り付けられる。
【００５３】
明らかに、本発明の範囲から逸脱することなく、しかしながらここで詳述し、図示したように電着塗装と電気透析セルに変化が生じうる。
【図面の簡単な説明】
【図１】は、部品断面を部分的に示し、部品を部分的に取り除いて明確にした、本発明による塗料タンクに取り付けられた電着塗装と電気透析セルの概略側面図を示す。
【図２】図１のＩＩ−ＩＩ線断面図を示す。
【図３】図１のＩＩＩ−ＩＩＩ線断面図を示す。
【図４】部品を部分的に取り除いて明確にした、図１のセルの頂部平面図を示す。
【図５】図１のセルを変形した一部概略図を示す。
【図６】部品断面を部分的に示し、部品を部分的に取り除いて明確にした、本発明によるセルを変形した概略側面図を示す。
【図７】図６のＶＩＩ−ＶＩＩ線断面図を示す。
【図８】図６のセルを変形させた図６のＶＩＩ−ＶＩＩ線対応概略断面図を示す。
【図９】本発明によるセルを変形させた概略矢視図を示す。
【図１０】本発明によるセルを変形させた概略矢視図を示す。
【符号の説明】
１，１ａ，１ｂ  セル      ２  タンク
３  塗料槽                ４  自由表面
５  縁                    ６  側壁
７，７ｂ  電極            ８  支持構造物
９  半透膜                １０  支持手段
１１  ヘッド              １２  ボトムキャップ
１３  剛体                １４，１５  軸端
１６  側壁                １７  窓
２０  外側表面            ２１  溝
２２  円周部              ２３  軸部
２４  シール              ２６  接続部
２７  環状端              ２８  接続シート
３１  リブ                ３２  アーム
３３ａ，３３ｂ  カラー    ３４  穴
３５  排出部材            ３６  端部
４３  固定リング          ４４  半状リング
４５  ねじ                ４７  固定バー
４８  ねじ                ４９  噛み合わせ部材
５０  アタッチメント      ５１  電極ホルダ部材
５１ｂ  支持プレート      ５２  固定部材
５３  側縁                ５４  中心孔
５５  管                  ５６  外側カラー
５７  シート              ５８  軸端部
５９  固定具              ６０  外側固定部
６１  電気コネクタ        ６２  チャネル
６５  電極ホルダ部材      ６６  端部
６７  環状接続プレート    ６８  ディスク
６９  側面                ７０  ねじ
７１  ブラケット          ７２  ロッド
７４  フリーアーム        ７５  ナット
９０  前部                ９１  内室
９２  前壁                ９３  後壁
９４  側壁                ９６  ボルト
９７  底壁                ９８  窓
９９  ワイヤ              １００  シール
１０１  安全格子
【図１】
2005500437.tif 000003
【図２】
2005500437.tif 000004
【図３】
2005500437.tif 000005
【図４】
2005500437.tif 000006
【図５】
2005500437.tif 000007
【図６】
2005500437.tif 000008
【図７】
2005500437.tif 000009
【図８】
2005500437.tif 000010
【図９】
2005500437.tif 000011
【図１０】
2005500437.tif 000012
【国際公開パンフレット】
2005500437.tif 000013
2005500437.tif 000014
2005500437.tif 000015
2005500437.tif 000016
2005500437.tif 000017
2005500437.tif 000018
2005500437.tif 000019
2005500437.tif 000020
2005500437.tif 000021
2005500437.tif 000022
2005500437.tif 000023
2005500437.tif 000024
2005500437.tif 000025
2005500437.tif 000026
2005500437.tif 000027
2005500437.tif 000028
2005500437.tif 000029
2005500437.tif 000030
2005500437.tif 000031
2005500437.tif 000032
2005500437.tif 000033
2005500437.tif 000034
2005500437.tif 000035
2005500437.tif 000036
2005500437.tif 000037
2005500437.tif 000038
2005500437.tif 000039
【国際調査報告】
2005500437.tif 000040
2005500437.tif 000041